(57)【要約】【課題】組み立て前には、コンパクトに折り畳むことができ、商品載置板を除く全ての部材を一体化することで、組み立て現場における組み立てが極端に簡便になり、かつ迅速に行うことが可能な販売台を提供する。【解決手段】組み立て時の背面板６と、背面板６とともに四角柱体を形成するスタンド部２と、スタンド部２内に組み込まれた支持体３とが一体的に連結された状態から組み立てられ、スタンド部２内に圧入しつつ支持体３上に商品載置板４が載置され、組み立て前には、スタンド部２及び支持体４が折り畳まれてスタンド部２が商品載置板４とともに背面板６及び支持体３内に収納されるものである。【選択図】図８
2007125170.tif 000002
【特許請求の範囲】
【請求項１】
組み立て時の背面板と、当該背面板とともに四角柱体を形成するスタンド部と、当該スタンド部内に組み込まれた支持体とが一体的に連結された状態から組み立てられ、前記スタンド部内に圧入しつつ前記支持体上に商品載置板が載置され、組み立て前には、前記スタンド部及び前記支持体が折り畳まれて前記商品載置板とともに前記背面板及び前記支持体内に収納されることを特徴とする販売台。
【請求項２】
前記支持体は、支持体主板の一側面に前記背面板に貼り合わされる第１の支持体糊代と、前記支持体主板における前記第１の支持体糊代の近傍に形成されたスリットと、前記支持体主板の略中央に前記スタンド部に貼り合わされる第２の支持体糊代と、前記支持体主板の他側面に形成され、前記スリットに挿し込まれる挿し込み片とを連設した２枚の支持板を備えることを特徴とする請求項１に記載の販売台。
【請求項３】
前記一方の支持板に第２のスリットが形成されるとともに、前記他方の支持板に前記第２のスリットに挿し込まれる第２の挿し込み片が形成されていることを特徴とする請求項２に記載の販売台。
【請求項４】
前記２枚の支持板における前記支持体主板の略中央下端にそれぞれ支持体切り込みを設ける一方、これらの支持体切り込みに、前記背面板の下端に設けられた補強板の２つの切り込みをそれぞれ入れ子状に組み込むことを特徴とする請求項１又は２に記載の販売台。
【請求項５】
前記２枚の支持板における前記支持体主板の略中央上端にそれぞれ支持体切り込みを設ける一方、これらの支持体切り込みに、前記背面板の上部に設けられた補強板の２つの切り込みをそれぞれ入れ子状に組み込むことを特徴とする請求項１又は２に記載の販売台。
【請求項６】
前記商品載置板の裏面に補強板が貼着されていることを特徴とする請求項１に記載の販売台。
【請求項７】
前記商品載置板に看板が連設される一方、前記背面板の上端に前記看板を固定する固定板が連設されていることを特徴とする請求項１に記載の販売台。
【発明の詳細な説明】
【技術分野】
【０００１】
本発明は、極めてコンパクトに折り畳むことができ、かつ容易に現場組み立てを可能とした販売台の技術分野に属する。
【背景技術】
【０００２】
従来から、特定な新商品の販促キャンペーンにあたり、店頭における顧客の商品情報の動機付けに、ＰＯＰ（購買時点）ディスプレイが取り付けられた即席の販売台が使用されている。これらの販売台に共通する課題は、コンパクトに折り畳んで現場への搬送を容易にし、そして、現場で容易にかつ迅速に組み立てができることである。
【０００３】
この課題を解決するために、従来では例えば特許文献１に開示された発明がある。この発明は、四角柱体に対して支持体を、左右側板の内面に設けられた連結片と仕切り板の略中央に設けられたスリットとを係合させることにより一体に組み込むようにしている。
【０００４】
また、特許文献２に開示された発明は、収納箱と、スタンド形成部と、ディスプレイパネルを、一体的に連結させ、かつ折り畳んで、残る支持体と商品載置板も併せて収納箱に収納させるようにしている。
【特許文献１】特開２０００−８３７７６号公報
【特許文献２】特開２０００−８３７７７号公報
【発明の開示】
【発明が解決しようとする課題】
【０００５】
しかしながら、上述した特許文献１に開示された発明は、四角柱体に対して支持体を一体に組み込むようにしているので、現場で四角柱体の組み込み作業が必要となり、組み立て方法の簡便さという観点で十分ではない問題がある。
【０００６】
また、特許文献２に開示された発明も、現場で四角柱体としたスタンド形成部に支持体を挿着する作業が必要となり、特許文献１に開示された発明と同様に組み立て方法の簡便さという観点で十分ではない問題がある。
【０００７】
本発明は、上記の事情を考慮してなされたもので、その目的とするところは、組み立て前には、コンパクトに折り畳むことができ、商品載置板を除く全ての部材を一体化することで、組み立て現場における組み立てが極端に簡便になり、かつ迅速に行うことが可能な販売台を提供することにある。
【課題を解決するための手段】
【０００８】
上記の課題を解決するために、請求項１に記載の販売台は、組み立て時の背面板と、当該背面板とともに四角柱体を形成するスタンド部と、当該スタンド部内に組み込まれた支持体とが一体的に連結された状態から組み立てられ、前記スタンド部内に圧入しつつ前記支持体上に商品載置板が載置され、組み立て前には、前記スタンド部及び前記支持体が折り畳まれて前記スタンド部が前記商品載置板とともに前記背面板及び前記支持体内に収納されることを特徴とする。
【０００９】
請求項２に記載の販売台は、請求項１に記載の販売台において、前記支持体は、支持体主板の一側面に前記背面板に貼り合わされる第１の支持体糊代と、前記支持体主板における前記第１の支持体糊代の近傍に形成されたスリットと、前記支持体主板の略中央に前記スタンド部に貼り合わされる第２の支持体糊代と、前記支持体主板の他側面に形成され、前記スリットに挿し込まれる挿し込み片とを連設した２枚の支持板を備えることを特徴とする。
【００１０】
請求項３に記載の販売台は、請求項２に記載の販売台において、前記一方の支持板に第２のスリットが形成されるとともに、前記他方の支持板に前記第２のスリットに挿し込まれる第２の挿し込み片が形成されていることを特徴とする。
【００１１】
請求項４に記載の販売台は、請求項１又は２に記載の販売台において、前記２枚の支持板における前記支持体主板の略中央下端にそれぞれ支持体切り込みを設ける一方、これらの支持体切り込みに、前記背面板の下端に設けられた補強板の２つの切り込みをそれぞれ入れ子状に組み込むことを特徴とする。
【００１２】
請求項５に記載の販売台は、請求項１又は２に記載の販売台において、前記２枚の支持板における前記支持体主板の略中央上端にそれぞれ支持体切り込みを設ける一方、これらの支持体切り込みに、前記背面板の上部に設けられた補強板の２つの切り込みをそれぞれ入れ子状に組み込むことを特徴とする。
【００１３】
請求項６に記載の販売台は、請求項１に記載の販売台において、前記商品載置板の裏面に補強板が貼着されていることを特徴とする。
【００１４】
請求項７に記載の販売台は、請求項１に記載の販売台において、前記商品載置板に看板が連設される一方、前記背面板の上端に前記看板を固定する固定板が連設されていることを特徴とする。
【発明の効果】
【００１５】
請求項１に係る発明によれば、組み立て前には、スタンド部及び支持体が折り畳まれてスタンド部が商品載置板とともに背面板及び支持体内に収納されることにより、別途外箱を使用する必要がなくなり、極めてコンパクトな荷姿で使用現場に配送することができ、流通経費を削減するとともに、部材管理も容易になる。
【００１６】
また、組み立て時には、背面板とともに四角柱体を形成するスタンド部と、スタンド部内に組み込まれた支持体とが一体的に連結された状態から組み立てられ、スタンド部内に圧入しつつ支持体上に商品載置板を載置することにより、使用現場において、容易にかつ迅速に組み立てることができる。特に、スタンド部内に支持体が組み込まれているので、支持体を容易に組み立てることができる。
【００１７】
さらに、組み立てた状態では、スタンド部内に圧入しつつ支持体上に商品載置板を載置することにより、スタンド部を補強することができる。
【００１８】
請求項２に係る発明によれば、支持体は、支持体主板の一側面に背面板に貼り合わされる第１の支持体糊代と、支持体主板における第１の支持体糊代の近傍に形成されたスリットと、支持体主板の略中央にスタンド部に貼り合わされる第２の支持体糊代と、支持体主板の他側面に形成され、スリットに挿し込まれる挿し込み片とを連設した２枚の支持板を備えることにより、組み立てた状態では、それぞれのスリットに挿し込み片が挿し込まれているので、支持体を一段と補強することができる。その結果、スタンド部の強度を高めることができる。
【００１９】
請求項３に係る発明によれば、一方の支持板に第２のスリットが形成されるとともに、他方の支持板に第２のスリットに挿し込まれる第２の挿し込み片が形成されているので、支持体を補強することができる。その結果、スタンド部の強度を高めることができる。
【００２０】
請求項４に係る発明によれば、２枚の支持板における支持体主板の略中央下端にそれぞれ支持体切り込みを設ける一方、これらの支持体切り込みに、背面板の下端に設けられた補強板の２つの切り込みをそれぞれ入れ子状に組み込むことにより、支持体を補強することができる。その結果、スタンド部の強度を一段と高めることができる。
【００２１】
請求項５に係る発明によれば、２枚の支持板における支持体主板の略中央上端にそれぞれ支持体切り込みを設ける一方、これらの支持体切り込みに、背面板の上部に設けられた補強板の２つの切り込みをそれぞれ入れ子状に組み込むことにより、支持体を補強することができる。その結果、スタンド部の強度を一段と高めることができる。
【００２２】
請求項６に係る発明によれば、商品載置板の裏面に補強板が貼着されているので、商品載置板の剛性を高めることができる。
【００２３】
請求項７に係る発明によれば、商品載置板に看板が連設される一方、背面板の上端に前記看板を固定する固定板が連設されているので、看板を確実かつ容易に固定することができる。
【発明を実施するための最良の形態】
【００２４】
以下、図面を参照して本発明を実施するための最良の形態について説明する。なお、以下の実施形態の販売台は、食品、飲料、たばこ、化粧品、医薬品、医薬部外品、一般生活用品等、幅広い商品を対象として、通常の新製品の販売促進はもとより、生活歳時や各種イベントに合わせた販促ツールとして使用が可能である。
【００２５】
（第１実施形態）
図１は本発明に係る販売台の第１実施形態の外観を示す斜視図、図２は図１の販売台の背面板を示す展開図、図３は図１の販売台を構成するスタンド部のブランクを示す展開図、図４は図１の販売台を構成する商品載置板のブランクを示す展開図、図５は図１の販売台を構成する支持体のブランクを示す展開図である。
【００２６】
図１に示すように、本実施形態に係る販売台１は、後述する背面板とともに四角柱体を形成するスタンド部２と、スタンド部２内に組み込まれ上記背面板及びスタンド部２に接合される支持体３（図５に示す）と、支持体３の上端に載置される商品載置板４とを備えている。
【００２７】
スタンド部２の上端部は、商品の展示を効果的に行うため、意匠上前傾状態となっている。また、スタンド部２の上端部は、基材（Ｅフルート段ボール等）が二重折れ線によってコ字状に折り返されて額縁状の端縁が形成されている。これは、スタンド部２の剛性を高めるとともに、全体にボリューム感を持たせ、段ボール等の基材の裏面や端面が直視されないようにするためである。
【００２８】
支持体３は、図１では直視できないが、スタンド部２内に組み込まれて商品載置板４とその上に配列される商品の荷重を支えている。商品載置板４は、スタンド部２内に圧入しつつ支持体３の上端縁に当接して載置されており、看板５が連設されている。この看板５は、前方に傾倒しないように上記背面板の上端に連設された固定板に固定されている。
【００２９】
背面板６は、スタンド部２とともに四角柱体を形成し、組み立て時に背面に配置され、図２に示すように上下側部近傍に２つづつスリット７，８が形成され、上端に看板５を固定するための固定板９が糊付けにより連設されて、折れ線ａにより正面側に二つ折り可能としている。この固定板９の貼着部１０には、図示しない両面粘着テープが貼着され、この両面粘着テープにより看板５の背面が貼着されて前方に傾倒しないように固定される。なお、この折れ線ａの上部にはミシン目１１が形成され、看板５が不要の場合、そのミシン目１１から固定板９を切り離して使用する。
【００３０】
また、背面板６の下端は、二重折れ線ｂを介して折り曲げ片１２が連設され、この折り曲げ片１２に折れ線ｃを介して補強板１３が連設されている。この補強板１３には、左右に２つの切り込み１４が形成されている。
【００３１】
次に、図３〜図５に基づいて販売台を構成する各部材のブランクについて説明する。
【００３２】
図３に示すように、スタンド部２のブランク２０は、正面板２１の左右辺に二重折れ線ｄ，ｄを介して左右側板２２，２２が連設され、これらの左右側板２２，２２には、その外側に設けられた折れ線ｆ，ｆを介して蓋片２３，２３が連設されている。
【００３３】
また、蓋片２３，２３の各端辺には、挿し込み片２４，２５が延設され、これらの挿し込み片２４，２５を背面板６に形成された２つのスリット７，８に挿し込むことにより、スタンド部２が背面板６に組み込まれる。そして、正面板２１及び左右側板２２，２２の各部の上辺には、スタンド部折り返し片２６がそれぞれ二重折れ線ｇ，ｇを介して連設されている。
【００３４】
商品載置板４のブランク３０は、図４に示すように裏面に商品載置板４と同一の外形に形成された補強板３１が貼着され、折れ線ｈ及びミシン目３２を介して看板５が連設されており、折れ線ｈを介して商品載置板４に対して看板５が折り畳み可能となる。なお、ミシン目３２は、看板５が不要の場合、そのミシン目３２から看板５を切り離して使用する。また、商品載置板４の３辺には、それぞれ折れ線ｉを介して折曲片３３が連設されている。この折曲片３３は、使用時に裏面方向に略９０°折り曲げられる。
【００３５】
支持体３は、図５に示すように互いに対称形状をなす２枚の支持板のブランク４０Ａ，４０Ｂからなり、それぞれ折り畳み可能な支持体主板４１の一方の側面のスリット板４２には、折れ線ｊを介して第１の支持体糊代としての支持体糊代４３が連設され、この支持体糊代４３は背面板６に貼り合わされる。そして、支持体主板４１における支持体糊代４３の近傍には、スリット４４が上下方向に延びるように形成され、このスリット４４を介して折れ線ｊと対称位置に折れ線ｋが設けられている。
【００３６】
また、支持体主板の４１の略中央の中央板４５には、折れ線ｌを介して第２の支持体糊代としての支持体糊代４６が連設され、この支持体糊代４６はスタンド部２の正面板２１の背面に貼り合わされる。この支持体糊代４６の一辺には、上下に角形の切欠部４７，４７が形成され、他辺近傍には二重折れ線ｍが設けられている。これらの切欠部４７，４７は、スタンド部２の挿し込み片２４，２５が背面板６に形成された２つのスリット７，８に挿し込まれたとき、その挿し込み片２４，２５の先端部が入り込むようになっている。
【００３７】
さらに、支持体主板４１の他方の側面の補強板４８には、スリット４４に挿し込まれる挿し込み片４９が連設されている。そして、支持体主板４１の中央板４５下端には、支持体切り込み５０が設けられ、この支持体切り込み５０に、背面板６の下端に設けられた補強板１３の切り込み１４をそれぞれ入れ子状に組み込むことで、支持体３を補強することができる。
【００３８】
次に、本実施形態に係る販売台１の収納順序及び組み立て順序を図６〜図１３に基づいて説明する。
【００３９】
図６は図１の販売台の折り畳み状態を示す斜視図、図７は第１実施形態のスタンド部を直立して支持体を広げた状態を示す斜視図、図８は第１実施形態の支持体が折り曲げられた状態を示す平面図、図９は図８の斜視図、図１０は第１実施形態のスタンド部の側面部が反対側に折り曲げられた状態を示す平面図、図１１は図１０の背面図、図１２は第１実施形態のスタンド部の蓋片が背面板に組み込まれた状態を示す底面図、図１３は第１実施形態の商品載置板を支持体に載置する状態を示す斜視図である。
【００４０】
なお、本実施形態の販売台１は、スタンド部２、支持体３、背面板６が一体的に接合されている。支持体３の２枚の支持板のブランク４０Ａ，４０Ｂは、折れ線ｊにより内側に折曲した状態で、それぞれの支持体糊代４３，４３が背面板６の内面両側に貼り合わされる。また、２枚の支持板のブランク４０Ａ，４０Ｂは、その支持体糊代４６，４６がスタンド部２の正面板２１の背面両側に貼り合わされる。さらに、背面板６には、固定板９が糊付けにより固定されている。
【００４１】
まず、本実施形態に係る販売台１の収納順序について説明する。
【００４２】
支持体３は、図８に示すように折れ線ｋによって内側に中折れした状態でスタンド部２の正面板２１と背面板６との間に交互に折り畳まれた後、スタンド部２の左右側板２２，２２が図７に示すように二重折れ線ｄ，ｄにより交互に反対側に折り畳まれ、蓋片２３，２３が折れ線ｆ，ｆにより上側に折り畳まれる。
【００４３】
次いで、看板５が折れ線ｈにより、背面板６の補強板１３が二重折れ線ｂにより、それぞれスタンド部２の左右側板２２，２２及び蓋片２３，２３に重なるように折り畳まれる。
【００４４】
さらに、これらの上に折れ線ｈにより二つ折りした商品載置板４を載せ、支持体３の２枚の補強板４８，４８がスタンド部２の左右側板２２，２２、蓋片２３，２３、看板５及び背面板６の補強板１３に重なるように交互に折り畳まれる。このように支持体３により各部材を包み込むと、図６に示すように支持体３に全ての部材を収納することができる。
【００４５】
したがって、本実施形態の販売台１は、このような収納機能により極めてコンパクトな状態で、かつ外装用の外箱を別途使用することなく組み立て現場に配送可能であるので、流通経費を削減するとともに、組み立て部材の管理も容易になる。そして、支持体３に全ての部材を収納することができるので、販売台１の外観となるスタンド部２を露出させることがなくなり、配送時にスタンド部２の損傷や汚れを未然に防止することができる。
【００４６】
また、使用後も、支持体３に全ての部材を収納して廃棄することができ、基材を全て紙から構成すれば、一段と廃棄性を向上させることができる。
【００４７】
次に、本実施形態に係る販売台１の組み立て順序について説明する。
【００４８】
まず、図６に示すような荷姿で配送される販売台１を、図７に示すように支持体３の補強板４８，４８と、スタンド部２の左右側板２２，２２、蓋片２３，２３とを広げ、看板５を反対側に折り曲げ、スタンド部２を直立させる。
【００４９】
次いで、図８及び図９に示すように、背面板６を後方に引き出し、折り畳まれていた支持体３が起こされて折り曲げられた略Ｘ字形の状態とした後、支持体３を構成する各スリット板４２，４２に形成されたスリット４４，４４にそれぞれ補強板４８，４８の挿し込み片４９，４９を挿し込むことにより、支持体３を補強する。
【００５０】
さらに、スタンド部２の左右側板２２，２２を図８及び図９に示す状態から図１０に示すように反対側に折り返し、支持体３の方向に左右側板２２，２２を回動しつつ、図１１に示すように蓋片２３，２３の各端辺に延設された挿し込み片２４，２５を背面板６に形成された２つのスリット７，８に挿し込むことにより、スタンド部２が背面板６に組み込まれ、スタンド部２と背面板６とで四角柱体を形成する。
【００５１】
そして、図１１に示すように背面板６の下端に連設された折り曲げ片１２を二重折れ線ｂで支持体３側に９０°折り曲げ、さらに折れ線ｃで補強板１３を直立させると、この補強板１３の２つの切り込み１４が図１２に示すように支持体切り込み５０にそれぞれ入れ子状に組み込まれ、支持体３を補強することができる。
【００５２】
次いで、図１３に示すように商品載置板４の各折曲片３３をそれぞれ折れ線ｉで裏面方向に略９０°折り曲げるとともに、看板５を折れ線ｈで折り曲げて直立させた状態で、商品載置板４をスタンド部２と背面板６とで形成された四角柱体内に圧入して、支持体３上に載置する。このとき、商品載置板４の各折曲片３３は、略９０°折り曲げられた状態でスタンド部２の内面と支持体３との間に差し込まれる。
【００５３】
そして、固定板９の貼着部１０に図示しない両面粘着テープを貼着し、この両面粘着テープに看板５の背面を貼着することにより、看板５が前方に傾倒しないように直立して固定され、全体の組み立てが完了する。
【００５４】
さらに、看板５、正面板２１及び左右側板２２，２２には、オフセット印刷、グラビア印刷、フレキソ印刷等の周知の印刷方法により印刷されたポスター等の印刷物が貼着される。
【００５５】
このように本実施形態によれば、背面板６とともに四角柱体を形成するスタンド部２と、スタンド部２内に組み込まれた支持体３とが一体的に連結された状態から組み立てられるので、使用現場において、容易にかつ迅速に組み立てることができる。特に、スタンド部２内に支持体３が組み込まれているので、支持体３を容易に組み立てることができる。
【００５６】
また、本実施形態によれば、組み立てた状態では、商品載置板４をスタンド部２内に圧入しつつ支持体３上に載置することにより、スタンド部２を補強することができる。
【００５７】
さらに、本実施形態によれば、支持体３は、支持体主板４１の一側面に背面板６に貼り合わされる支持体糊代４３と、支持体主板４１における支持体糊代４３の近傍に形成されたスリット４４と、支持体主板４１の略中央にスタンド部２の正面板２１に貼り合わされる支持体糊代４６と、支持体主板４１の他側面に形成され、スリット４４に挿し込まれる挿し込み片４９とを連設した２枚の支持板を備えることにより、組み立てた状態では、それぞれのスリット４４に挿し込み片４９が挿し込まれているので、支持体３を一段と補強することができる。その結果、スタンド部２の強度を高めることができる。
【００５８】
そして、本実施形態によれば、２枚の支持板における支持体主板４１の略中央下端にそれぞれ支持体切り込み５０を設ける一方、これらの支持体切り込み５０に、背面板６の下端に設けられた補強板１３の２つの切り込み１４をそれぞれ入れ子状に組み込むことにより、支持体３を補強することができる。その結果、スタンド部２の強度を一段と高めることができる。
【００５９】
また、本実施形態によれば、商品載置板４の裏面に補強板３１が貼着されているので、商品載置板４の剛性を高めることができる。そして、商品載置板４に看板５が連設される一方、背面板６の上端に看板５を固定する固定板９が連設されているので、看板５を確実かつ容易に固定することができる。
【００６０】
なお、本実施形態では、上述したように２枚の支持板における支持体主板４１の略中央下端にそれぞれ支持体切り込み５０を設ける一方、これらの支持体切り込み５０に、背面板６の下端に設けられた補強板１３の２つの切り込み１４をそれぞれ入れ子状に組み込むようにしたが、これ以外に２枚の支持板における支持体主板４１の略中央上端にそれぞれ支持体切り込みを設ける一方、これらの支持体切り込みに、背面板６の上部に設けられた補強板の２つの切り込みをそれぞれ入れ子状に組み込むようにしても同様の効果が得られる。また、これらの両者を組み合わせて構成すれば、支持体３の補強強度が一段と高まり、スタンド部２の強度を格段に高めることができる。
【００６１】
（第２実施形態）
図１４は本発明に係る販売台の第２実施形態におけるスタンド部の側面部が反対側に折り曲げられた状態を示す拡大平面図である。なお、前記第１実施形態と同一又は対応する部分には、同一の符号を用いて異なる構成のみを説明する。
【００６２】
図１４に示すように、本実施形態では、一方の支持板のブランク４０Ａに第２のスリット５１が形成されるとともに、他方の支持板のブランク４０Ｂに第２のスリット５１に挿し込まれる第２の挿し込み片５２が形成されている。
【００６３】
すなわち、一方の支持板のブランク４０Ａには、折れ線ｋの近傍に前記第１実施形態のスリット４４と並列に第２のスリット５１が形成されている。また、他方の支持板のブランク４０Ｂには、折れ線ｋの近傍に平面Ｌ字形の第２の挿し込み片５２が形成されている。この挿し込み片５２は、折れ線ｋの近傍に貼着してもよいし、あるいは切り起して形成するようにしてもよい。
【００６４】
このように本実施形態によれば、一方の支持板のブランク４０Ａに第２のスリット５１が形成されるとともに、他方の支持板のブランク４０Ｂに第２のスリット５１に挿し込まれる第２の挿し込み片５２が形成されているので、支持体３の補強強度を一段と高めることができる。その結果、スタンド部２の強度を向上させることができる。その他の構成及び作用は、前記第１実施形態と同様であるので、その説明を省略する。
【図面の簡単な説明】
【００６５】
【図１】本発明に係る販売台の第１実施形態の外観を示す斜視図である。
【図２】図１の販売台の背面板を示す展開図である。
【図３】図１の販売台を構成するスタンド部のブランクを示す展開図である。
【図４】図１の販売台を構成する商品載置板のブランクを示す展開図である。
【図５】図１の販売台を構成する支持体のブランクを示す展開図である。
【図６】図１の販売台の折り畳み状態を示す斜視図である。
【図７】第１実施形態のスタンド部を直立して支持体を広げた状態を示す斜視図である。
【図８】第１実施形態の支持体が折り曲げられた状態を示す平面図である。
【図９】図８の斜視図である。
【図１０】第１実施形態のスタンド部の側面部が反対側に折り曲げられた状態を示す平面図である。
【図１１】図１０の背面図である。
【図１２】第１実施形態のスタンド部の蓋片が背面板に組み込まれた状態を示す底面図である。
【図１３】第１実施形態の商品載置板を支持体に載置する状態を示す斜視図である。
【図１４】本発明に係る販売台の第２実施形態におけるスタンド部の側面部が反対側に折り曲げられた状態を示す拡大平面図である。
【符号の説明】
【００６６】
１  販売台
２  スタンド部
３  支持体
４  商品載置板
５  看板
６  背面板
７  スリット
８  スリット
９  固定板
１３  補強板
１４  切り込み
２１  正面板
２２  左右側板
２３  蓋片
２４  挿し込み片
２５  挿し込み片
３１  補強板
４１  支持体主板
４２  スリット板
４３  支持体糊代（第１の支持体糊代）
４４  スリット支持体糊代
４６  支持体糊代（第２の支持体糊代）
４８  補強板
４９  挿し込み片
５０  支持体切り込み
５１  第２のスリット
５２  第２の挿し込み片５２
【図１】
2007125170.tif 000003
【図２】
2007125170.tif 000004
【図３】
2007125170.tif 000005
【図４】
2007125170.tif 000006
【図５】
2007125170.tif 000007
【図６】
2007125170.tif 000008
【図７】
2007125170.tif 000009
【図８】
2007125170.tif 000010
【図９】
2007125170.tif 000011
【図１０】
2007125170.tif 000012
【図１１】
2007125170.tif 000013
【図１２】
2007125170.tif 000014
【図１３】
2007125170.tif 000015
【図１４】
2007125170.tif 000016